(57)【要約】【解決手段】枠体部１１において下側の外枠部２５と上側の外枠部２６とを主体部１０における刃先１４ａの延設方向Ｙの両側で左側の外枠部２７及び右側の外枠部２８により互いにつないで主体部１０を各外枠部２５，２６，２７，２８により囲っているので、枠体部１１の剛性を高めて、下側の外枠部２５の皮膚接触部と各刃体１４の刃先１４ａと上側の外枠部２６の皮膚接触部とを互いに結ぶ剃り面を安定させることができる。【効果】剃刀の使用時に剃刀ヘッド４の案内を円滑に行って剃り味を向上させることができる。【選択図】図３
2014090933.tif 000002
【特許請求の範囲】
【請求項１】
刃体を有する主体部と、その主体部に取り付けられる枠体部とを備え、
この枠体部は、刃体の刃先の延設方向に対し交叉する方向の両側のうち、刃先側に設けた第１の外枠部と、刃先側に対する反対側に設けた第２の外枠部と、刃先の延設方向の両側でこの第１の外枠部と第２の外枠部とを互いにつなぐ第３の外枠部及び第４の外枠部と、これらの外枠部で囲まれた開孔と、第１の外枠部及び第２の外枠部に設けた皮膚接触部とを有し、この開孔に主体部を嵌め込んで主体部をこの各外枠部により囲み、
第１の外枠部の皮膚接触部と、刃体の刃先と、第２の外枠部の皮膚接触部とを互いに結ぶ剃り面を設けた
ことを特徴とする剃刀。
【請求項２】
前記主体部には、刃体の刃先の延設方向に対し交叉する方向の両側のうち、刃先側と刃先側に対する反対側とで刃体を挟む第１の内枠部及び第２の内枠部を設け、
第１の内枠部には前記第１の外枠部の皮膚接触部と並ぶ皮膚接触部を設けるとともに、第２の内枠部には前記第２の外枠部の皮膚接触部と並ぶ皮膚接触部を設け、
第１の外枠部の皮膚接触部と、第１の内枠部の皮膚接触部と、刃体の刃先と、第２の外枠部の皮膚接触部と、第２の内枠部の皮膚接触部とを互いに結ぶ剃り面を設けた
ことを特徴とする請求項１に記載の剃刀。
【請求項３】
前記第１の外枠部の皮膚接触部と、第１の内枠部の皮膚接触部とは、剃り面上で互いに連続して形成され、前記第２の外枠部の皮膚接触部と、第２の内枠部の皮膚接触部とは、剃り面上で互いに連続して形成されていることを特徴とする請求項２に記載の剃刀。
【請求項４】
前記主体部には、第１の内枠部及び第２の内枠部以外に、刃体の刃先の延設方向の両側でこの第１の内枠部と第２の内枠部とを互いにつないで刃体を挟む第３の内枠部及び第４の内枠部を設け、これらの内枠部により囲まれた開孔で刃体の刃先を露出させ、
前記第３の外枠部と第４の外枠部とにはそれぞれ皮膚接触部を設け、この第３の内枠部にはこの第３の外枠部の皮膚接触部と並ぶ皮膚接触部を設けるとともに、この第４の内枠部にはこの第４の外枠部の皮膚接触部と並ぶ皮膚接触部を設けた
ことを特徴とする請求項３に記載の剃刀。
【請求項５】
前記第３の外枠部の皮膚接触部と第３の内枠部の皮膚接触部とは、剃り面上で互いに連続して形成され、前記第４の外枠部の皮膚接触部と第４の内枠部の皮膚接触部とは、剃り面上で互いに連続して形成され、
第１の外枠部の皮膚接触部と、第１の内枠部の皮膚接触部と、第２の外枠部の皮膚接触部と、第２の内枠部の皮膚接触部と、第３の外枠部の皮膚接触部と、第３の内枠部の皮膚接触部と、第４の外枠部の皮膚接触部と、第４の内枠部の皮膚接触部と、刃体の刃先とを互いに結ぶ剃り面を設けた
ことを特徴とする請求項４に記載の剃刀。
【請求項６】
前記枠体部の開孔に主体部を嵌め込んだ際に、枠体部に対する主体部の嵌め込み向きとその嵌め込み向きに対する反対向きへの移動を規制する止め部を枠体部及び主体部に設けたことを特徴とする請求項１〜５のうちいずれか一つの請求項に記載の剃刀。
【請求項７】
前記主体部及び枠体部は、刃体の刃先が露出する表側と、その表側に対し反対側になる裏側とを有し、その枠体部の裏側をその主体部の表側に向けた状態で、枠体部の開孔に主体部を嵌め込むことができるように、止め部を枠体部及び主体部に設けたことを特徴とする請求項１〜６のうちいずれか一つの請求項に記載の剃刀。
【請求項８】
前記枠体部において第１の外枠部の皮膚接触部と第２の外枠部の皮膚接触部とのうち少なくとも一つの皮膚接触部にシェービングエイドを設けたことを特徴とする請求項２〜７のうちいずれか一つの請求項に記載の剃刀。
【請求項９】
前記主体部において第１の内枠部の皮膚接触部と第２の内枠部の皮膚接触部とのうち少なくとも一つの皮膚接触部には枠体部のシェービングエイドに隣接する凹部を設けたことを特徴とする請求項８に記載の剃刀。
【請求項１０】
前記枠体部において刃先の延設方向に沿うシェービングエイドの長さは、主体部で露出する刃体の刃先の延設長さより長くなっていることを特徴とする請求項８または請求項９に記載の剃刀。
【発明の詳細な説明】
【技術分野】
【０００１】
本発明は、身体の各種部分に生える膚毛を剃ることができる剃刀に関するものである。
【背景技術】
【０００２】
下記の特許文献１に記載された剃刀の剃刀ヘッド（替刃）においては、刃体を有する主体部（カートリッジ）とその主体部に取り付けられる枠体部（枠部材）とを備え、枠体部には刃体の刃先（刃先縁）の延設方向に対し直交する方向の両側でそれぞれ皮膚接触部を有する外枠部（ローラー）が設けられ、その両外枠部の皮膚接触部間で主体部が載設されている。使用時には、剃刀ヘッドの剃り面が皮膚面に対し両外枠部の皮膚接触部で案内されながら、身体の各種部分に生える膚毛を刃体により剃ることができる。
【先行技術文献】
【特許文献】
【０００３】
【特許文献１】特開２００９−１８９５８９号公報
【発明の概要】
【発明が解決しようとする課題】
【０００４】
しかし、刃先の延設方向の両側でそれぞれ枠体部が開放されているため、枠体部の剛性が低下して剃り面を安定させることができず、両外枠部の皮膚接触部間において皮膚面に対する剃刀ヘッドの案内が円滑に行われなくなって剃り味に悪影響を及ばすおそれがあった。
【０００５】
この発明は、剃刀の使用時に皮膚面に対する剃刀ヘッドの案内を円滑に行って剃り味を向上させることを目的としている。
【課題を解決するための手段】
【０００６】
後記実施形態の図面（図１〜６）の符号を援用して本発明を説明する。
請求項１の発明にかかる剃刀は、刃体（１４）を有する主体部（１０）と、その主体部（１０）に取り付けられる枠体部（１１）とを備えている。この枠体部（１１）は、刃体（１４）の刃先（１４ａ）の延設方向（Ｙ）に対し交叉する方向（Ｚ）の両側のうち、刃先（１４ａ）側に設けた第１の外枠部（２５）と、刃先（１４ａ）側に対する反対側に設けた第２の外枠部（２６）と、刃先（１４ａ）の延設方向（Ｙ）の両側でこの第１の外枠部（２５）と第２の外枠部（２６）とを互いにつなぐ第３の外枠部（２７）及び第４の外枠部（２８）と、これらの外枠部（２５，２６，２７，２８）で囲まれた開孔（２９）と、第１の外枠部（２５）及び第２の外枠部（２６）に設けた皮膚接触部（２５ａ，２６ａ）とを有している。この開孔（２９）に主体部（１０）を嵌め込んで主体部（１０）をこの各外枠部（２５，２６，２７，２８）により囲み、第１の外枠部（２５）の皮膚接触部（２５ａ）と、刃体（１４）の刃先（１４ａ）と、第２の外枠部（２６）の皮膚接触部（２６ａ）とを互いに結ぶ剃り面（Ｐ）を設けている。ちなみに、剃り面（Ｐ）とは、剃刀の使用時に皮膚接触部（２５ａ，２６ａ）や刃先（１４ａ）が皮膚面に対し順次または同時に当る面である。
【０００７】
請求項１の発明では、皮膚接触部（２５ａ）を有する第１の外枠部（２５）と、皮膚接触部（２６ａ）を有する第２の外枠部（２６）とを主体部（１０）における刃先（１４ａ）の延設方向（Ｙ）の両側で第３の外枠部（２７）及び第４の外枠部（２８）により互いにつないで主体部（１０）を各外枠部（２５，２６，２７，２８）により囲っているので、枠体部（１１）の剛性を高めて剃り面（Ｐ）を安定させることができる。従って、剃刀の使用時に、第１の外枠部（２５）の皮膚接触部（２５ａ）と第２の外枠部（２６）の皮膚接触部（２６ａ）との間で皮膚面に対する剃刀ヘッド（４）の案内を枠体部（１１）の第１の外枠部（２５）及び第２の外枠部（２６）により円滑に行って剃り味を向上させることができる。
【０００８】
請求項１の発明を前提とする請求項２の発明において、前記主体部（１０）には、刃体（１４）の刃先（１４ａ）の延設方向（Ｙ）に対し交叉する方向（Ｚ）の両側のうち、刃先（１４ａ）側と刃先（１４ａ）側に対する反対側とで刃体（１４）を挟む第１の内枠部（１５）及び第２の内枠部（１６）を設け、第１の内枠部（１５）には前記第１の外枠部（２５）の皮膚接触部（２５ａ）と並ぶ皮膚接触部（１５ａ）を設けるとともに、第２の内枠部（１６）には前記第２の外枠部（２６）の皮膚接触部（２６ａ）と並ぶ皮膚接触部（１６ａ）を設け、第１の外枠部（２５）の皮膚接触部（２５ａ）と、第１の内枠部（１５）の皮膚接触部（１５ａ）と、刃体（１４）の刃先（１４ａ）と、第２の外枠部（２６）の皮膚接触部（２６ａ）と、第２の内枠部（１６）の皮膚接触部（１６ａ）とを互いに結ぶ剃り面（Ｐ）を設けている。ちなみに、剃り面（Ｐ）とは、剃刀の使用時に皮膚接触部（２５ａ，２６ａ，１５ａ，１６ａ）や刃先（１４ａ）が皮膚面に対し順次または同時に当る面である。
【０００９】
請求項２の発明では、剃り面（Ｐ）の一部として、第１の外枠部（２５）及び第２の外枠部（２６）の皮膚接触部（２５ａ，２６ａ）以外に、第１の内枠部（１５）及び第２の内枠部（１６）の皮膚接触部（１５ａ，１６ａ）を設けたので、剃刀の使用時に、各皮膚接触部（２５ａ，２６ａ，１５ａ，１６ａ）間で皮膚面に対する剃刀ヘッド（４）の案内を枠体部（１１）の第１の外枠部（２５）及び第２の外枠部（２６）及び主体部（１０）の第１の内枠部（１５）及び第２の内枠部（１６）でより一層円滑に行って剃り味を向上させることができる。
【００１０】
請求項２の発明を前提とする請求項３の発明において、前記第１の外枠部（２５）の皮膚接触部（２５ａ）と、第１の内枠部（１５）の皮膚接触部（１５ａ）とは、剃り面（Ｐ）上で互いに連続して形成され、前記第２の外枠部（２６）の皮膚接触部（２６ａ）と、第２の内枠部（１６）の皮膚接触部（１６ａ）とは、剃り面（Ｐ）上で互いに連続して形成されている。
【００１１】
請求項３の発明では、第１または第２の外枠部（２５，２６）の皮膚接触部（２５ａ，２６ａ）と第１または第２の内枠部（１５，１６）の皮膚接触部（１５ａ，１６ａ）とが剃り面（Ｐ）上で互いに接触するかまたは僅かな隙間をあけて隣接した状態で連続して形成されているので、第１の外枠部（２５）の皮膚接触部（２５ａ）と第１の内枠部（１５）の皮膚接触部（１５ａ）とが皮膚面に同時に接触し易くなるとともに、第２の外枠部（２６）の皮膚接触部（２６ａ）と第２の内枠部（１６）の皮膚接触部（１６ａ）とが皮膚面に同時に接触し易くなり、剃刀の使用時に剃刀ヘッド（４）の案内をより一層円滑に行って剃り味を向上させることができる。
【００１２】
請求項３の発明を前提とする請求項４の発明において、前記主体部（１０）には、第１の内枠部（１５）及び第２の内枠部（１６）以外に、刃体（１４）の刃先（１４ａ）の延設方向（Ｙ）の両側でこの第１の内枠部（１５）と第２の内枠部（１６）とを互いにつないで刃体（１４）を挟む第３の内枠部（１７）及び第４の内枠部（１８）を設け、これらの内枠部（１５，１６，１７，１８）により囲まれた開孔（１９）で刃体（１４）の刃先（１４ａ）を露出させ、前記第３の外枠部（２７）と第４の外枠部（２８）とにはそれぞれ皮膚接触部（２７ａ，２８ａ）を設け、この第３の内枠部（１７）にはこの第３の外枠部（２７）の皮膚接触部（２７ａ）と並ぶ皮膚接触部（１７ａ）を設けるとともに、この第４の内枠部（１８）にはこの第４の外枠部（２８）の皮膚接触部（２８ａ）と並ぶ皮膚接触部（１８ａ）を設けている。
【００１３】
請求項４の発明では、剃り面（Ｐ）の一部として、第３の外枠部（２７）及び第４の外枠部（２８）の皮膚接触部（２７ａ，２８ａ）以外に、第３の内枠部（１７）及び第４の内枠部（１８）の皮膚接触部（１７ａ，１８ａ）を設けたので、剃刀の使用時に、各皮膚接触部（２５ａ，２６ａ，２７ａ，２８ａ，１５ａ，１６ａ，１７ａ，１８ａ）間で皮膚面に対する剃刀ヘッド（４）の案内を枠体部（１１）の各外枠部（２５，２６，２７，２８）及び主体部（１０）の各内枠部（１５，１６，１７，１８）により円滑に行って剃り味を向上させることができる。
【００１４】
請求項４の発明を前提とする請求項５の発明において、前記第３の外枠部（２７）の皮膚接触部（２７ａ）と第３の内枠部（１７）の皮膚接触部（１７ａ）とは、剃り面（Ｐ）上で互いに連続して形成され、前記第４の外枠部（２８）の皮膚接触部（２８ａ）と第４の内枠部（１８）の皮膚接触部（１８ａ）とは、剃り面（Ｐ）上で互いに連続して形成され、第１の外枠部（２５）の皮膚接触部（２５ａ）と、第１の内枠部（１５）の皮膚接触部（１５ａ）と、第２の外枠部（２６）の皮膚接触部（２６ａ）と、第２の内枠部（１６）の皮膚接触部（１６ａ）と、第３の外枠部（２７）の皮膚接触部（２７ａ）と、第３の内枠部（１７）の皮膚接触部（１７ａ）と、第４の外枠部（２８）の皮膚接触部（２８ａ）と、第４の内枠部（１８）の皮膚接触部（１８ａ）と、刃体（１４）の刃先（１４ａ）とを互いに結ぶ剃り面（Ｐ）を設けている。ちなみに、剃り面（Ｐ）とは、剃刀の使用時に皮膚接触部（２５ａ，２６ａ，２７ａ，２８ａ，１５ａ，１６ａ，１７ａ，１８ａ）や刃先（１４ａ）が皮膚面に対し順次または同時に当る面である。
【００１５】
請求項５の発明では、第１または第２の外枠部（２５，２６）の皮膚接触部（２５ａ，２６ａ）と第１または第２の内枠部（１５，１６）の皮膚接触部（１５ａ，１６ａ）とが剃り面（Ｐ）上で互いに接触するかまたは僅かな隙間をあけて隣接した状態で連続して形成されているばかりではなく、第３または第４の外枠部（２７，２８）の皮膚接触部（２７ａ，２８ａ）と第３または第４の内枠部（１７，１８）の皮膚接触部（１７ａ，１８ａ）とが剃り面（Ｐ）上で互いに接触するかまたは僅かな隙間をあけて隣接した状態で連続して形成されているので、第１の外枠部（２５）の皮膚接触部（２５ａ）と第１の内枠部（１５）の皮膚接触部（１５ａ）とが皮膚面に同時に接触し易くなるとともに、第２の外枠部（２６）の皮膚接触部（２６ａ）と第２の内枠部（１６）の皮膚接触部（１６ａ）とが皮膚面に同時に接触し易くなるばかりでなく、第３の外枠部（２７）の皮膚接触部（２７ａ）と第３の内枠部（１７）の皮膚接触部（１７ａ）とが皮膚面に同時に接触し易くなるとともに、第４の外枠部（２８）の皮膚接触部（２８ａ）と第４の内枠部（１８）の皮膚接触部（１８ａ）とが皮膚面に同時に接触し易くなり、剃刀の使用時に剃刀ヘッド（４）の案内をより一層円滑に行って剃り味を向上させることができる。
【００１６】
請求項１〜５の発明のうちいずれか一つの請求項の発明を前提とする請求項６の発明においては、前記枠体部（１１）の開孔（２９）に主体部（１０）を嵌め込んだ際に、枠体部（１１）に対する主体部（１０）の嵌め込み向きとその嵌め込み向きに対する反対向きへの移動を規制する止め部（２４，３０，２９ａなど）を枠体部（１１）及び主体部（１０）に設けている。請求項６の発明では、止め部（２４，３０，２９ａなど）により、枠体部（１１）と主体部（１０）とが不用意に分離しない。
【００１７】
請求項１〜６の発明のうちいずれか一つの請求項の発明を前提とする請求項７の発明において、前記主体部（１０）及び枠体部（１１）は、刃体（１４）の刃先（１４ａ）が露出する表側と、その表側に対し反対側になる裏側とを有し、その枠体部（１１）の裏側をその主体部（１０）の表側に向けた状態で、枠体部（１１）の開孔（２９）に主体部（１０）を嵌め込むことができるように、止め部（２４，３０，２９ａなど）を枠体部（１１）及び主体部（１０）に設けている。請求項７の発明では、止め部（２４，３０，２９ａなど）により、枠体部（１１）に対する主体部（１０）の嵌め込み向きを特定して、枠体部（１１）に対する主体部（１０）の嵌め込みを容易に行うことができる。
【００１８】
請求項２〜７の発明のうちいずれか一つの請求項の発明を前提とする請求項８の発明においては、前記枠体部（１１）において第１の外枠部（２５）の皮膚接触部（２５ａ）と第２の外枠部（２６）の皮膚接触部（２６ａ）とのうち少なくとも一つの皮膚接触部（２５ａ，２６ａ）にシェービングエイド（３６，４２）を設けている。請求項８の発明では、シェービングエイド（３６，４２）の潤滑機能により剃り味を向上させることができる。
【００１９】
請求項８の発明を前提とする請求項９の発明にかかる主体部（１０）において、第１の内枠部（１５）の皮膚接触部（１５ａ）と第２の内枠部（１６）の皮膚接触部（１６ａ）とのうち少なくとも一つの皮膚接触部（１６ａ）には、枠体部（１１）のシェービングエイド（３６）に隣接する凹部（１３ａ，１３ｂ）を設けている。この凹部（１３ａ，１３ｂ）はシェービングエイド（３６）側に開放されていることが好ましい。請求項９の発明では、水分を含んで溶けたシェービングエイド（３６）や皮膚に予め塗布されたシェービングフォームなどのシェービング補助剤が凹部（１３ａ，１３ｂ）に溜まって主体部（１０）に保持され易くなるため、剃り味を向上させることができる。
【００２０】
請求項８または請求項９の発明を前提とする請求項１０の発明にかかる枠体部（１１）において、刃先（１４ａ）の延設方向（Ｙ）に沿うシェービングエイド（３６，４２）の長さは、主体部（１０）で露出する刃体（１４）の刃先（１４ａ）の延設長さより長くなっている。請求項１０の発明では、刃体（１４）の刃先（１４ａ）の延設方向（Ｙ）の全体でシェービングエイド（３６，４２）の潤滑機能を働かせて剃り味を向上させることができる。
【００２１】
次に、請求項以外の技術的思想について実施形態の図面の符号を援用して説明する。
請求項１〜１０の発明のうちいずれか一つの請求項の発明を前提とする第１１の発明にかかる枠体部（１１）において、第１の外枠部（２５）の皮膚接触部（２５ａ）と第２の外枠部（２６）の皮膚接触部（２６ａ）とにシェービングエイド（３６，４２）を設けている。第１１の発明では、シェービングエイド（３６，４２）の潤滑機能をより一層高めて剃り味を向上させることができる。
【００２２】
請求項１〜１０の発明のうちいずれか一つの請求項の発明、または第１１の発明を前提とする第１２の発明にかかる枠体部（１１）において、第１の外枠部（２５）の皮膚接触部（２５ａ）と第２の外枠部（２６）の皮膚接触部（２６ａ）とにはそれぞれ射出成形によりシェービングエイド（３６，４２）を同時に設けた。第１２の発明では、第１の外枠部（２５）の皮膚接触部（２５ａ）と第２の外枠部（２６）の皮膚接触部（２６ａ）にシェービングエイド（３６，４２）を容易に成形することができる。
【発明の効果】
【００２３】
本発明は、剃刀の使用時に皮膚面に対する剃刀ヘッド（４）の案内を円滑に行って剃り味を向上させることができる。
【図面の簡単な説明】
【００２４】
【図１】（ａ）は首振り式剃刀において剃刀ヘッドの中立位置でキャップを装着して正面側から見た全体斜視図であり、（ｂ）は同じく背面側から見た全体斜視図である。
【図２】（ａ）は図１（ａ）（ｂ）の首振り式剃刀においてホルダの頭部及び剃刀ヘッドを示す部分拡大側面図であり、（ｂ）は同じく側面側から見た部分拡大断面図である。
【図３】（ａ）は図１（ａ）（ｂ）の首振り式剃刀においてホルダの頭部及び剃刀ヘッドを示す部分拡大正面図であり、（ｂ）は同じく部分拡大背面図である。
【図４】（ａ）は剃刀ヘッドにおいて主体部（台部及び覆い部）と枠体部とを示す分解斜視図であり、（ｂ）は同じく組付斜視図である。
【図５】（ａ）（ｂ）はそれぞれ剃刀ヘッドを示す部分拡大縦断面図であり、（ｃ）（ｄ）はそれぞれ同じく部分拡大横断面図である。
【図６】（ａ）は図３（ａ）において上下両側のシェービングエイドのうち上側のシェービングエイドのみを示す部分拡大縦断面図であり、（ｂ）は同じく部分拡大横断面図である。
【発明を実施するための形態】
【００２５】
以下、本発明の一実施形態にかかる剃刀について図面を参照して説明する。
図１（ａ）（ｂ）に示すように、ホルダ１においては把持部２の上端部に頭部３が設けられている。頭部３の正面側には剃刀ヘッド４が首振り機構５により取り付けられている。剃刀ヘッド４の下側にはキャップ４ａが下方から上方へ着脱可能に嵌め込まれている。
【００２６】
図２（ａ）（ｂ）に示すように、首振り機構５においては、ホルダ１の頭部３に設けられた環状の支持部６と、剃刀ヘッド４に設けられた被支持部７との間に環状の弾性部８が介在され、剃刀ヘッド４がその弾性部８により付勢されて静止する中立位置からその弾性部８の付勢力に抗して頭部３の正面側への向きなどを含む三次元方向に傾動した首振り位置を取り得る。
【００２７】
図２（ｂ）及び図３（ａ）（ｂ）に示すように、剃刀ヘッド４に設けられた組付部９は、主体部１０と枠体部１１とを備えている。組付部９の主体部１０においては、台部１２と覆い部１３との間で複数の刃体１４が組み付けられている。前記被支持部７は台部１２から後方へ突設された連結部７ａと前記弾性部８に取着された連結部７ｂとを有し、その両連結部７ａ，７ｂが互いに挿着されている。
【００２８】
図４（ａ）（ｂ）に示すように、主体部１０の覆い部１３は、各刃体１４の刃先１４ａの延設方向Ｙ（左右方向）に対し直交する上下方向Ｚの両側のうち、刃先１４ａ側に設けられた下側の内枠部１５（第１の内枠部１５）と、刃先１４ａ側に対する反対側に設けられた上側の内枠部１６（第２の内枠部１６）と、刃先１４ａの延設方向Ｙ（左右方向）の両側で下側の内枠部１５と上側の内枠部１６とを互いにつなぐ左側の内枠部１７（第３の内枠部１７）及び右側の内枠部１８（第４の内枠部１８）と、これらの内枠部１５，１６，１７，１８で囲まれて前後方向Ｘに開放された開孔１９とを有している。下側の内枠部１５及び上側の内枠部１６の左右両側にはそれぞれ止めピン２０が後方へ向けて突設され、上側の内枠部１６の左右両側には左右両止めピン２０間で係止突部２１が後方へ向けて突設されている。また、主体部１０の台部１２において、上部及び下部の左右両側にはそれぞれ止め孔２２が形成され、上部の左右両側には左右両止め孔２２間で係止凹部２３が形成され、左右両部には係止凹部２４が形成されている。図２（ｂ）及び図５（ａ）に示すように覆い部１３の後側と台部１２の前側とが互いに重合された状態で、図２（ｂ）及び図５（ｃ）に示すように覆い部１３の各止めピン２０が台部１２の各止め孔２２に挿着されるとともに、図２（ｂ）及び図５（ｂ）に示すように覆い部１３の各係止突部２１が台部１２の各係止凹部２３に挿入されて、覆い部１３と台部１２とが一体的に組み付けられる。各刃体１４の刃先１４ａは覆い部１３の開孔１９で露出している。
【００２９】
図４（ａ）（ｂ）に示すように、組付部９の枠体部１１は、各刃体１４の刃先１４ａの延設方向Ｙ（左右方向）に対し直交する上下方向Ｚの両側のうち、刃先１４ａ側に設けられた下側の外枠部２５（第１の外枠部２５）と、刃先１４ａ側に対する反対側に設けられた上側の外枠部２６（第２の外枠部２６）と、刃先１４ａの延設方向Ｙ（左右方向）の両側で下側の外枠部２５と上側の外枠部２６とを互いにつなぐ左側の外枠部２７（第３の外枠部２７）及び右側の外枠部２８（第４の外枠部２８）と、これらの外枠部２５，２６，２７，２８で囲まれて前後方向Ｘに開放された開孔２９とを有している。左右両外枠部２７，２８には開孔２９の内周部で係止突部３０が形成されている。
【００３０】
図５（ａ）に示すように、主体部１０がその前側（表側）を枠体部１１の後側（裏側）に向けて枠体部１１の開孔２９に嵌め込まれると、主体部１０の外周部が開孔２９の内周部に囲まれ、覆い部１３の前側及び刃体１４の刃先１４ａがその開孔２９で前方へ露出する。その嵌め込み状態では、開孔２９の内周部に形成された段差部２９ａ（止め部）に主体部１０が係止されて主体部１０の前側への移動が規制されるとともに、図５（ｄ）に示すように枠体部１１の左右両係止突部３０（止め部）が主体部１０の台部１２の左右両係止凹部２４（止め部）に係入されて開孔２９に対する主体部１０の前後方向Ｘにおける抜け落ちが規制され、主体部１０の外周部が開孔２９の内周部に係止されて主体部１０の上下方向Ｚの両側及び左右方向Ｙの両側への移動が規制される。
【００３１】
図２（ｂ）、図３（ａ）（ｂ）及び図６（ａ）（ｂ）に示すように、枠体部１１において上側の外枠部２６には貫通孔３１が前後方向Ｘ（貫通方向）に貫設されて開放されている。貫通孔３１の内周部において、前側の端縁部３１ａと後側の端縁部３１ｂとの間で、下側の内側部３２と左側の内側部３３と右側の内側部３４と上側の内側部３５とが形成されている。左側の内側部３３及び右側の内側部３４では、左側の内側面３３ａ及び右側の内側面３４ａが段差面３３ｂ，３４ｂを介して形成されている。上側の内側部３５では、上側の内側面３５ａが前側の端縁部３１ａと後側の端縁部３１ｂとの間の全体にわたり左側の内側面３３ａ及び右側の内側面３４ａと連続して形成されている。下側の内側部３２では、下側の内側面３２ａと、前記主体部１０の覆い部１３の上側との間で段差状をなす段差面３２ｂとが形成されている。
【００３２】
貫通孔３１の内側部３２，３３，３４，３５で環状に連続する前側の端縁部３１ａと後側の端縁部３１ｂとの間には、シェービングエイド３６が射出成形により組付部９の枠体部１１と一体的に取着されている。シェービングエイド３６は、水溶性のポリエチレンオキシドなどの水溶性成分と、エラストマー樹脂などの軟質樹脂を含む非水溶性成分とを含んで成形されている。非水溶性成分において軟質樹脂がシェービングエイド３６の全体に対し占める重量割合は、水溶性成分がシェービングエイド３６の全体に対し占める重量割合より大きく設定されている。エラストマー樹脂は３０％以上の重量割合（実施形態では５０％若しくはそれ以上の重量割合）に設定され、水溶性成分は５０％以下の重量割合（実施形態では１５％の重量割合）に設定されている。
【００３３】
なお、剃刀ヘッド４における組付部９の主体部１０及び枠体部１１と被支持部７について、刃体１４以外は樹脂により成形されている。
シェービングエイド３６は、貫通孔３１の内側部３２，３３，３４，３５で内側面３２ａ，３３ａ，３４ａ，３５ａ及び段差面３２ｂ，３３ｂ，３４ｂに取着された環状の支持部３７と、その支持部３７の内側に形成された非支持部３８とを有している。その支持部３７及び非支持部３８は一体成形されて前後方向Ｘ（厚み方向）の両側へ開放されている。支持部３７は、内側面３２ａ，３３ａ，３４ａ，３５ａに取着された連結部３７ａと、段差面３２ｂ，３３ｂ，３４ｂに取着された連結部３７ｂとを有している。段差面３２ｂ上の連結部３７ｂは主体部１０の覆い部１３における上下方向Ｚの上側に隣接している。支持部３７の内側には非支持部３８の後側に並ぶ空域部３７ｃが形成されている。非支持部３８は、支持部３７との境で環状に形成された変形可能部３９と、その変形可能部３９の内側に形成された可動部４０とを有している。変形可能部３９は、環状の溝部３９ａ（膨出緩和部）と、その溝部３９ａにより形成された環状の薄肉部３９ｂ（可撓部）とを有している。可動部４０は、薄肉部３９ｂの内周で前方へ屈曲されて薄肉部３９ｂの内側に形成された空域部４０ａにより膨出し、溝部３９ａにより囲まれている。貫通孔３１の前側の端縁部３１ａを通る平面上には支持部３７の連結部３７ａ，３７ｂ及び非支持部３８の可動部４０が位置し、貫通孔３１の後側の端縁部３１ｂを通る平面上には支持部３７の連結部３７ａが位置している。非支持部３８の最大厚みは支持部３７の最大厚みより薄く設定されている。シェービングエイド３６において、刃先１４ａの延設方向Ｙ（左右方向）に対し交叉する上下方向Ｚの幅は、その延設方向Ｙの両側ほど狭く設けられ、その両側間の中間で最も広く設けられている。
【００３４】
主体部１０の覆い部１３の前側及び枠体部１１の前側において、刃体１４の刃先１４ａと上側の内枠部１６とシェービングエイド３６とが上方へ順次並び、その上側の内枠部１６の左右両側でそれぞれ一つずつ形成された凹部１３ａと、左右両凹部１３ａ間で形成された複数の凹部１３ｂとが貫通孔３１の前側端縁部３１ａに沿って左右方向Ｙへ並設されてシェービングエイド３６の支持部３７に面して開放されている。中間の各凹部１３ｂは左右両凹部１３ａを結ぶ面の内側に位置している。シェービングエイド３６から溶け出た水溶性成分や、皮膚に予め塗布されたシェービングフォームなどのシェービング補助剤が、左右両凹部１３ａより中間の各凹部１３ｂに入り易くなって溜まり易い。
【００３５】
主体部１０の覆い部１３の左右両側には上下方向Ｚへ延びる帯状の突部１３ｃが形成され、それらの突部１３ｃの頂面は各刃体１４の刃先１４ａを通る面上にほぼ位置する。左右両突部１３ｃは、使用時に皮膚面に対し各刃先１４ａとともに接触し、剃刀ヘッド４を安定させながら上下方向Ｚへ案内する。
【００３６】
なお、前記枠体部１１において刃先１４ａの延設方向Ｙに沿うシェービングエイド３６，４２の長さは、主体部１０の覆い部１３で露出する各刃体１４の刃先１４ａの延設長さより長くなっている。
【００３７】
また、図５（ａ）に示すように、枠体部１１において上下方向Ｚの下側にある外枠部２５に形成された段差部４１にはシェービングエイド４２が上下方向Ｚの上側にある外枠部２６のシェービングエイド３６とともに同時に射出成形されて組付部９の枠体部１１と一体的に取着されている。段差部４１のシェービングエイド４２は主体部１０の覆い部１３における上下方向Ｚの下側に隣接している。
【００３８】
ちなみに、図３（ａ）（ｂ）において剃刀ヘッド４の組付部９（主体部１０及び枠体部１１）については、左右方向Ｙの最大寸法が約４８ｍｍ、上下方向Ｚの最大寸法が約３０ｍｍにそれぞれ設定されている。また、図６（ａ）（ｂ）において、シェービングエイド３６の支持部３７の最大厚みが約３ｍｍに設定され、シェービングエイド３６の非支持部３８の薄肉部３９ｂ及び可動部４０の最大厚みは約０．８ｍｍに設定され、０．５〜１．５ｍｍに設定することが好ましい。
【００３９】
図３（ａ）及び図５（ａ）（ｂ）（ｃ）（ｄ）に示すように、前記枠体部１１において、下側の外枠部２５の前側と、上側の外枠部２６の前側と、左側の外枠部２７の前側と、右側の外枠部２８の前側とには、それぞれ皮膚接触部２５ａ，２６ａ，２７ａ，２８ａが形成されている。上側の外枠部２６の皮膚接触部２６ａはシェービングエイド３６を一部に含む。下側の外枠部２５の皮膚接触部２５ａはシェービングエイド４２を一部に含む。図３（ａ）及び図５（ａ）（ｂ）（ｃ）（ｄ）に示すように、前記主体部１０の覆い部１３において、下側の内枠部１５の前側と、上側の内枠部１６の前側と、左側の内枠部１７の前側と、右側の内枠部１８の前側とには、それぞれ皮膚接触部１５ａ，１６ａ，１７ａ，１８ａが形成されている。下側の外枠部２５の皮膚接触部２５ａと、下側の内枠部１５の皮膚接触部１５ａと、上側の外枠部２６の皮膚接触部２６ａと、上側の内枠部１６の皮膚接触部１６ａと、左側の外枠部２７の皮膚接触部２７ａと、左側の内枠部１７の皮膚接触部１７ａと、右側の外枠部２８の皮膚接触部２８ａと、右側の内枠部１８の皮膚接触部１８ａと、各刃体１４の刃先１４ａとは、図２（ａ）に示すように僅かに湾曲した剃り面Ｐ上にある。下側の内枠部１５の皮膚接触部１５ａは下側の外枠部２５の皮膚接触部２５ａに対し剃り面Ｐ上で並んで連続し、その皮膚接触部１５ａと皮膚接触部２５ａとは互いに接触するかまたは僅かな隙間をあけて隣接している。上側の内枠部１６の皮膚接触部１６ａは上側の外枠部２６の皮膚接触部２６ａに対し剃り面Ｐ上で並んで連続し、その皮膚接触部１６ａと皮膚接触部２６ａとは互いに接触するかまたは僅かな隙間をあけて隣接している。左側の内枠部１７の皮膚接触部１７ａは左側の外枠部２７の皮膚接触部２７ａに対し剃り面Ｐ上で並んで連続し、その皮膚接触部１７ａと皮膚接触部２７ａとは互いに接触するかまたは僅かな隙間をあけて隣接している。右側の内枠部１８の皮膚接触部１８ａは右側の外枠部２８の皮膚接触部２８ａに対し剃り面Ｐ上で並んで連続し、その皮膚接触部１８ａと皮膚接触部２８ａとは互いに接触するかまたは僅かな隙間をあけて隣接している。
【００４０】
次に、剃刀の作用を説明する。
使用時に中立位置の剃刀ヘッド４をその剃り面Ｐで皮膚面に押さえ付けて膚毛を剃ると、剃刀ヘッド４は押さえ付けられる向きに応じて首振り機構５の弾性部８の付勢力に抗して傾動し、膚毛を剃る際の抵抗を和らげる。剃刀ヘッド４のシェービングエイド３６，４２は水分を含んだ状態で皮膚面に当てがわれるため、剃刀ヘッド４の滑りを良くして剃り味を向上させる。変形可能部３９を有するシェービングエイド３６については、皮膚面との接触に伴い溝部３９ａ及び薄肉部３９ｂで変形し得るため、皮膚面に対する感触を良くするとともに、水分を含んで膨張変形する方向を溝部３９ａ内や厚み方向Ｘの両側に分散するため、膨張変形に伴う皮膚面への接触を緩和して、より一層剃り味を向上させる。
【００４１】
本実施形態は下記の効果を有する。
（１）  枠体部１１において下側の外枠部２５と上側の外枠部２６とを主体部１０における刃先１４ａの延設方向Ｙの両側で左側の外枠部２７及び右側の外枠部２８により互いにつないで主体部１０を各外枠部２５，２６，２７，２８により囲っているので、枠体部１１の剛性を高めて、下側の外枠部２５の皮膚接触部２５ａと各刃体１４の刃先１４ａと上側の外枠部２６の皮膚接触部２６ａとを互いに結ぶ剃り面Ｐを安定させることができる。従って、剃刀の使用時に剃刀ヘッド４の案内を円滑に行って剃り味を向上させることができる。
【００４２】
（２）  剃刀の使用時には、下側の外枠部２５の皮膚接触部２５ａと、下側の内枠部１５の皮膚接触部１５ａと、上側の外枠部２６の皮膚接触部２６ａと、上側の内枠部１６の皮膚接触部１６ａと、左側の外枠部２７の皮膚接触部２７ａと、左側の内枠部１７の皮膚接触部１７ａと、右側の外枠部２８の皮膚接触部２８ａと、右側の内枠部１８の皮膚接触部１８ａと、各刃体１４の刃先１４ａとを互いに結ぶ剃り面Ｐにおいて、それらの皮膚接触部２５ａ，２６ａ，２７ａ，２８ａ，１５ａ，１６ａ，１７ａ，１８ａや刃先１４ａが皮膚面に対し順次または同時に当るので、剃刀の使用時に剃刀ヘッド４の案内を円滑に行って剃り味を向上させることができる。
【００４３】
（３）  下側の外枠部２５の皮膚接触部２５ａと下側の内枠部１５の皮膚接触部１５ａとが剃り面Ｐ上で互いに連続して形成され、上側の外枠部２６の皮膚接触部２６ａと上側の内枠部１６の皮膚接触部１６ａと剃り面Ｐ上で互いに連続して形成され、左側の外枠部２７の皮膚接触部２７ａと左側の内枠部１７の皮膚接触部１７ａとが剃り面Ｐ上で互いに連続して形成され、右側の外枠部２８の皮膚接触部２８ａと右側の内枠部１８の皮膚接触部１８ａとが剃り面Ｐ上で互いに連続して形成されているので、剃刀の使用時に剃刀ヘッド４の案内を円滑に行って剃り味を向上させることができる。
【００４４】
前記実施形態以外にも例えば下記のように構成してもよい。
・  前記実施形態において、首振り機構５を省略し、剃刀ヘッド４をホルダ１の頭部３に対し首振り不能に支持する。
【００４５】
・  前記実施形態において、剃刀ヘッド４のシェービングエイド３６を省略する。
・  シェービングエイド３６，４２を剃刀ヘッド４以外、例えばホルダ１やキャップ４ａに設けてもよい。
【００４６】
・  剃刀ヘッド４の組付部９において、一つの主体部１０に対し複数の枠体部１１を設けてその枠体部１１を交換したり、一つの枠体部１１に対し複数の主体部１０を設けてその主体部１０を交換したりしてもよい。
【符号の説明】
【００４７】
４…剃刀ヘッド、９…剃刀ヘッドの組付部、１０…組付部の主体部、１１…組付部の枠体部、１３ａ，１３ｂ…主体部の凹部、１４…組付部の刃体、１４ａ…刃先、１５…主体部の第１の内枠部、１５ａ…皮膚接触部、１６…主体部の第２の内枠部、１６ａ…皮膚接触部、１７…主体部の第３の内枠部、１７ａ…皮膚接触部、１８…主体部の第４の内枠部、１８ａ…皮膚接触部、１９…主体部の開孔、２４…主体部の係止凹部（止め部）、２５…枠体部の第１の外枠部、２５ａ…皮膚接触部、２６…枠体部の第２の外枠部、２６ａ…皮膚接触部、２７…枠体部の第３の外枠部、２７ａ…皮膚接触部、２８…枠体部の第４の外枠部、２８ａ…皮膚接触部、２９…枠体部の開孔、２９ａ…段差部、３０…枠体部の係止突部（止め部）、３６，４２…シェービングエイド、Ｐ…組付部の剃り面、Ｙ…刃先の延設方向。
【図１】
2014090933.tif 000003
【図２】
2014090933.tif 000004
【図３】
2014090933.tif 000005
【図４】
2014090933.tif 000006
【図５】
2014090933.tif 000007
【図６】
2014090933.tif 000008